(57)【要約】【課題】設定時刻に電源を遮断する機能を備えるとともに、設定時刻の動作状態に基づいて電源遮断動作を自動で判断する電子機器を提供する。【解決手段】電子機器は、時刻を管理するタイマーと、動作状態と電源遮断動作とを関連づけた例外テーブルを格納する記憶部と、前記タイマーが予め設定した設定時刻になると、動作状態を認識して、前記動作状態と前記例外テーブルとに基づいて電源遮断動作を決定する制御部とを有する。【選択図】図５
2009188529.tif 000002
【特許請求の範囲】
【請求項１】
時刻を管理するタイマーと、
動作状態と電源遮断動作とを関連づけた例外テーブルを格納する記憶部と、
前記タイマーが予め設定した設定時刻になると、動作状態を認識して、前記例外テーブルに基づいて電源遮断動作を決定する制御部とを有することを特徴とする電子機器。
【請求項２】
前記制御部は、前記動作状態と前記例外テーブルとに基づいて、前記動作状態が第１の例外である場合、前記設定時刻を取り消して電源を遮断しないことを特徴とする請求項１に記載の電子機器。
【請求項３】
前記制御部は、前記動作状態と前記例外テーブルとに基づいて、前記動作状態が第２の例外である場合、前記設定時刻を取り消すとともに、前記動作状態が終了したことを認識すると、電源を遮断することを特徴とする請求項１に記載の電子機器。
【請求項４】
前記制御部は、前記動作状態と前記例外テーブルとに基づいて、前記動作状態が第３の例外である場合、前記設定時刻を取り消すとともに、前記動作状態が終了した時刻から、前記設定時間から前記動作状態が終了するまでに経過した時間分後の時刻を新たな設定時刻として設定し、新たな前記設定時刻に電源を遮断することを特徴とする請求項１に記載の電子機器。
【請求項５】
前記制御部は、前記設定時刻から所定の時間前になると前記設定時刻に関する情報を教示することを特徴とする請求項１に記載の電子機器。
【請求項６】
時刻を管理するタイマーと、
前記タイマーが予め設定した第１の設定時刻になると、電源を遮断するスリープタイマーと、
第２の設定時刻から第３の設定時刻まで動作する第１の制御部と、
前記第１の設定時刻が前記第２の設定時刻より後の場合で、前記第１の設定時刻が前記第３の設定時刻より前の場合は、前記スリープタイマーの前記設定時刻を解除し、前記第１の設定時刻が前記第３の設定時刻より後の場合は、前記スリープタイマーの前記設定時刻を解除しない第２の制御部とを有することを特徴とする電子機器。
【発明の詳細な説明】
【技術分野】
【０００１】
本発明は、電子機器に関する。
【背景技術】
【０００２】
従来の技術として、設定した時刻に電源を遮断する機能を備えるとともに、設定した時刻に他の機能が使用されている場合には、電源を遮断する機能を無視して電源を切らないようにした電子機器がある（例えば、特許文献１参照）。
【０００３】
この電子機器は、時刻を計測するためのタイマーと、タイマーの時刻に基づきユーザーが設定した時刻に自動で電子機器の電源を遮断する制御部とを有し、制御部は、設定した時刻に他の機能が使用されている動作状態においては、電源を遮断する機能を無視するため、他の機能の使用を妨げることがない。また、他の機能が使用されていない動作状態においては電源を切るため電子機器の無駄な電力消費を低減できる。
【特許文献１】特開２００４−１６５８０９号公報
【発明の開示】
【発明が解決しようとする課題】
【０００４】
しかし、従来の電子機器によると、他の機能の使用が終了して電子機器の電源を遮断したい場合は、手動で電源遮断の操作を行う必要がある。また、他の機能の動作状態の内容によって電源を遮断するほうが望ましい場合と、望ましくない場合とが存在し、その動作状態ごとにユーザーが判断する必要があり、操作がさらに煩雑となるという問題がある。
【０００５】
従って、本発明の目的は、設定時刻に電源を遮断する機能を備えるとともに、設定時刻の動作状態に基づいて電源遮断動作を自動で判断する電子機器を提供することにある。
【課題を解決するための手段】
【０００６】
（１）本発明は上記目的を達成するため、時刻を管理するタイマーと、動作状態と電源遮断動作とを関連づけた例外テーブルを格納する記憶部と、前記タイマーが予め設定した設定時刻になると、動作状態を認識して、前記例外テーブルに基づいて電源遮断動作を決定する制御部とを有することを特徴とする電子機器を提供する。
【０００７】
上記した構成によれば、例外テーブルと設定した時刻における電子機器の動作とに基づいて電源遮断動作を決定するため、設定時刻の動作状態に基づいて電源遮断動作を自動で判断することができる。
【０００８】
（２）また、本発明は上記目的を達成するため、時刻を管理するタイマーと、前記タイマーが予め設定した第１の設定時刻になると、電源を遮断するスリープタイマーと、第２の設定時刻から第３の設定時刻まで動作する第１の制御部と、前記第１の設定時刻が前記第２の設定時刻より後の場合で、前記第１の設定時刻が前記第３の設定時刻より前の場合は、前記スリープタイマーの前記設定時刻を解除し、前記第１の設定時刻が前記第３の設定時刻より後の場合は、前記スリープタイマーの前記設定時刻を解除しない第２の制御部とを有することを特徴とする電子機器を提供する。
【０００９】
上記した構成によれば、第１の制御部の設定した時間帯にスリープタイマーの設定した時間が含まれる場合はスリープタイマーを解除するため、設定時刻以前に設定時刻における動作状態を予測して電源遮断動作を自動で判断することができる。
【発明の効果】
【００１０】
本発明によれば、設定時刻の動作状態に基づいて電源遮断動作を自動で判断することができる。
【発明を実施するための最良の形態】
【００１１】
以下に、本発明の電子機器の実施の形態を、図面を参照して詳細に説明する。
【００１２】
［第１の実施の形態］
（電子機器の構成）
図１は、本発明の第１の実施の形態に係る電子機器を示す斜視図である。
【００１３】
電子機器１は、図示しないアンテナを介して外部より放送波を受信して映像を表示部に表示したり、受信した映像データを内蔵された記憶部に録画したり、記憶部に記憶された音楽データや映像データ等のコンテンツを再生して音声や映像を出力するマルチメディアプレイヤーであって、充電可能な内部電源または外部のＡＣアダプタ、又はＵＳＢ（Ｕｎｉｖｅｒｓａｌ  Ｓｅｒｉａｌ  Ｂｕｓ）バスパワー等から供給される電力により動作する。
【００１４】
また、電子機器１は、本体１Ａ内にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を格納し、正面部に文字や画像等を表示する液晶表示パネル等からなる表示部１５と、電子機器１の電源投入状態（電源オン／オフ）を切り替える電源スイッチと、メニュー操作やボリューム操作、チャンネル切替操作等を行える複数のスイッチとからなる操作部１７とを有する。また、電子機器１は、側面部に、ＵＳＢケーブルを介して外部と通信するとともに外部からＵＳＢバスパワーを介して電力を給電するＵＳＢポート１６と、ＡＣアダプタのＤＣプラグを挿入することで電力を給電するＤＣジャック１８０とを有する。
【００１５】
図２は、本発明の第１の実施の形態に係る電子機器の構成例を示すブロック図である。
【００１６】
電子機器１は、時刻を管理するタイマー１０と、各部を制御する制御部１１と、アンテナ１２Ａを介してワンセグ放送波を受信してデコードするワンセグ受信部１２と、Ｗｉ−Ｆｉ（登録商標）やＢｌｕｅｔｏｏｔｈ（登録商標）等の規格に沿って外部と無線通信する無線通信部１３と、例外テーブル１４Ａを格納するＨＤＤ等からなる記憶部１４と、文字や画像等を表示する表示部１５と、ＵＳＢコネクタを挿入可能で情報を通信するとともに電力を給電可能なＵＳＢポート１６と、複数のスイッチの操作内容に基づいて操作信号を出力する操作部１７と、各部に電力を供給する電源部１８とを有する。
【００１７】
制御部１１は、タイマー１０の時刻に基づいて設定時刻に電子機器１の電源部１８からの電力供給を遮断するスリープタイマー１１Ａと、電子機器１の動作状態とスリープタイマー１１Ａの動作とを関連づけた例外テーブル１４Ａに基づいてスリープタイマー１１Ａの動作を管理するスリープタイマー管理部１１Ｂと、タイマー１０の時刻、予め設定可能な録画開始時刻、録画終了時刻、および設定チャンネルに基づいてワンセグ受信部１２において受信したワンセグ放送の映像データを録画するワンセグ録画予約１１Ｃとを有する。
【００１８】
電源部１８は、例えば、リチウムイオンバッテリ等の充電池１８Ａを内部に有し、外部のＡＣアダプタが接続されている場合は、ＤＣジャック１８０を介して、ＡＣアダプタから供給される電力を各部へ供給するとともに充電池１８Ａを充電する。また、電源部１８は、ＤＣジャック１８０から電力が供給されない場合は、電力を充電池１８Ａから各部へ供給する。また、ＵＳＢポート１６に接続された外部の機器がＵＳＢバスパワーを介して電力を供給可能である場合には、電源部１８は、ＵＳＢバスパワーおよび充電池１８Ａを用いて各部へ電力を供給する。
【００１９】
なお、電子機器１は、図示していない、情報を一時的に記憶するメモリ、およびスピーカーやイヤホンジャック等を備える音声出力部等をさらに有する。
【００２０】
図３は、本発明の第１の実施の形態に係る例外テーブルの構成例を示す表である。
【００２１】
例外テーブル１４Ａは、符号としての例外番号と、電子機器１の動作状態としての状態と、スリープタイマー１１Ａの動作を決定するスリープタイマー待機とを項目として有している。例えば、例外番号「１」では、ＵＳＢポート１６を介して外部機器が接続され、外部の機器と情報を通信するとともにＵＳＢバスパワーを介して電力が供給されている「ＵＳＢ接続」状態において、スリープタイマー待機「Ｎｏ」、つまり、スリープタイマーは待機せずスリープタイマーを解除するように設定される。
【００２２】
また、例外番号「２」では、無線通信部１３を介して外部機器から情報をダウンロードしている「無線通信ダウンロード中」状態において、スリープタイマー待機「Ｙｅｓ」、つまり、無線通信ダウンロードが終了するまで電源を遮断しないように設定される。また、例外番号「３」では、ワンセグ受信部１２において受信したワンセグ放送波の映像データを記憶部１４に記録する「ワンセグ録画中」状態において、スリープタイマー待機「Ｙｅｓ」、つまり、ワンセグ録画が終了するまで電源を遮断しないように設定される。
【００２３】
図４（ａ）および（ｂ）は、本発明の第１の実施の形態に係る電子機器の表示部における表示例を示す概略図である。
【００２４】
表示部１５は、図４（ａ）において、選択されている機能に応じた表示、例えば、ワンセグ表示画面とともに、スリープタイマー１１Ａが設定されており、設定時刻以前の場合は、スリープタイマーアイコン１５０を表示する。また、表示部１５は、図４（ｂ）において、選択されている機能に応じた表示とともに、例えば、例外２、または例外３が適用されてスリープタイマー１１Ａが待機している場合は、スリープタイマー禁止アイコン１５１を表示する。
【００２５】
（動作）
以下に、本発明の第１の実施の形態における電子機器の動作を各図を参照しつつ説明する。
【００２６】
図５は、本発明の第１の実施の形態に係る電子機器の動作例を示すフローチャートである。
【００２７】
まず、スリープタイマー１１Ａは、操作部１７において所定の操作を実行されることで起動し、電源部１８の電力供給を遮断する設定時刻を指定することで設定される（Ｓ１０）。スリープタイマー１１Ａの設定時刻になったとき（Ｓ１１；Ｙｅｓ）、スリープタイマー管理部１１Ｂは、電子機器１の動作状態を監視して、動作状態が例外テーブル１４Ａに該当するか否か確認する（Ｓ１２）。
【００２８】
例外テーブル１４Ａに該当する場合（Ｓ１２；Ｙｅｓ）、図４（ａ）に示すスリープタイマーアイコン１５０を、図４（ｂ）に示すスリープタイマー禁止アイコン１５１に変更するとともにスリープタイマー１１Ａを待機状態にする（Ｓ１３）。次に、動作状態が例外テーブル１４Ａの例外番号「１」に該当する場合（Ｓ１４；Ｙｅｓ）、スリープタイマー管理部１１Ｂは、スリープタイマー１１Ａの設定を解除して、現在の動作状態である「ＵＳＢ接続」状態を動作続行する（Ｓ１５）。
【００２９】
また、動作状態が例外テーブル１４Ａの例外番号「２」または「３」に該当する場合（Ｓ１４；Ｎｏ）、例外番号「２」または「３」、つまり「無線通信ダウンロード中」状態または「ワンセグ録画中」状態が完了するまでスリープタイマー１１Ａを待機状態にして（Ｓ１６；Ｙｅｓ）、状態が完了するとスリープタイマー１１Ａ待機状態を解除して電源を遮断する（Ｓ１７）。
【００３０】
（第１の実施の形態の効果）
上記した第１の実施の形態によると、例外テーブル１４Ａを予め記憶部１４に格納し、スリープタイマー１１Ａの設定時刻に例外テーブル１４Ａを参照するため、設定時刻の動作状態に基づいて電源遮断動作を自動で判断することができる。
【００３１】
なお、ステップＳ１７においてすぐに電源を遮断せずに、元々の設定時刻から動作状態が終了するまでに経過した時間分、動作状態が終了した時刻から遅延させて設定時刻を再設定してもよい。
【００３２】
また、例外テーブル１４Ａは、一例であり、他の動作状態およびスリープタイマー待機の有無を工場出荷時等に変更して設定することができる。例えば、「ＵＳＢ接続」状態において、スリープタイマー待機を「Ｙｅｓ」と変更して設定してもよい。その際は、図５のステップＳ１４やＳ１６の判断も同時に変更される。また、例外テーブル１４Ａをユーザーが操作部１７を操作することで設定できるようにしてもよい。
【００３３】
また、スリープタイマー管理部１１Ｂは、電源部１８の電力供給元が、ＵＳＢポート１６、充電池１８Ａ、またはＤＣジャック１８０のいずれからかを判断して、スリープタイマー１１Ａの動作を管理してもよい。つまり、例外テーブル１４Ａに電力供給元を項目として追加してもよい。
【００３４】
［第２の実施の形態］
図６は、本発明の第２の実施の形態に係る電子機器の表示部における表示例を示す概略図である。なお、以下の説明において、第１の実施の形態と同一の構成及び機能を有する部分については共通の符号を付している。
【００３５】
表示部１５は、選択されている機能に応じた表示、例えば、ワンセグ表示画面とともに、スリープタイマー１１Ａが設定されている場合は、スリープタイマーアイコン１５０を表示する。また、表示部１５は、一定の条件の下、スリープタイマー１１Ａが設定時刻において電源部１８において電力供給の遮断を実行するまでの残り時間であるスリープタイマー予告表示１５２を表示する。
【００３６】
（動作）
図７は、本発明の第２の実施の形態に係る電子機器の動作例を示すフローチャートである。
【００３７】
まず、スリープタイマー１１Ａは、操作部１７において所定の操作を実行されることで起動し、電源を遮断する時刻を指定することで設定される（Ｓ２０）。スリープタイマー１１Ａの設定時刻になったとき（Ｓ２１；Ｙｅｓ）、図５に示すステップＳ１２以降の動作を実行する。
【００３８】
また、スリープタイマー１１Ａの設定時刻より前であって（Ｓ２１；Ｎｏ）、スリープタイマー１１Ａの設定時刻まで所定の時間Ｘ、例えば、２０分以下である場合（Ｓ２２；Ｙｅｓ）、設定時刻までの残り時間であるスリープタイマー予告表示１５２を表示する（Ｓ２３）。
【００３９】
（第２の実施の形態の効果）
上記した第２の実施の形態によると、第１の実施の形態に加え、スリープタイマーの設定時刻までの残り時間であるスリープタイマー予告表示１５２を表示するため、利用者にスリープタイマーの設定を教示することができる。これにより、例外テーブル１４Ａに設定されていない動作状態、および例外テーブル１４Ａに設定されている状態以外の動作状態に対して利用者が対処することができる。
【００４０】
［第３の実施の形態］
（動作）
図８は、本発明の第３の実施の形態に係る電子機器の動作例を示すフローチャートである。
【００４１】
まず、スリープタイマー１１Ａは、操作部１７において所定の操作を実行されることで起動し、電源部１８の電力供給を遮断する設定時刻を指定することで設定される（Ｓ３０）。また、ワンセグ録画予約１１Ｃは、操作部１７において所定の操作を実行されることで起動し、録画開始時刻、録画終了時刻、および録画チャンネル等を指定することで設定される（Ｓ３１）。
【００４２】
次に、ワンセグ録画予約１１Ｃの録画開始時刻になると（Ｓ３２；Ｙｅｓ）、スリープタイマー管理部１１Ｂは、スリープタイマー１１Ａの設定時刻がワンセグ録画予約１１Ｃの録画終了時刻以前かどうか確認する（Ｓ３３）。
【００４３】
スリープタイマー１１Ａの設定時刻がワンセグ録画予約１１Ｃの録画終了時刻以前である場合（Ｓ３３；Ｙｅｓ）、スリープタイマー管理部１１Ｂは、スリープタイマー１１Ａの設定を解除して（Ｓ３４）、ワンセグ録画予約１１Ｃは、録画を開始する（Ｓ３５）。
【００４４】
スリープタイマー１１Ａの設定時刻がワンセグ録画予約１１Ｃの録画終了時刻より後である場合（Ｓ３３；Ｎｏ）、ワンセグ録画予約１１Ｃは、録画を開始する（Ｓ３５）。
【００４５】
（第３の実施の形態の効果）
上記した第３の実施の形態によると、電子機器１は、スリープタイマー１１Ａと同様にタイマー１０を用いるワンセグ録画予約１１Ｃについて、ワンセグ録画予約１１Ｃの録画開始時刻においてスリープタイマー１１Ａの設定時刻を確認するため、スリープタイマー１１Ａの設定時刻以前にスリープタイマー１１Ａの動作を制御することができる。
【００４６】
なお、ステップＳ３４において、スリープタイマー１１Ａを解除せずにスリープタイマー１１Ａの設定時間をワンセグ録画予約１１Ｃの録画終了時刻以降に遅延させてもよい。
【００４７】
なお、本実施の形態は、ワンセグ録画予約１１Ｃに限らず、タイマー１０を用いて設定された時刻において動作を制御するものであれば、同様に適用できる。また、適用できる動作状態を示すテーブルを用意して複数の動作状態に対応できるようにしてもよい。
【図面の簡単な説明】
【００４８】
【図１】本発明の実施の形態に係る電子機器を示す斜視図である。
【図２】本発明の実施の形態に係る電子機器の構成を示すブロック図である。
【図３】本発明の第１の実施の形態に係る例外テーブルの構成例を示す表である。
【図４】（ａ）および（ｂ）は、本発明の第１の実施の形態に係る電子機器の表示部における表示例を示す概略図である。
【図５】本発明の第１の実施の形態に係る電子機器の動作例を示すフローチャートである。
【図６】本発明の第２の実施の形態に係る電子機器の表示部における表示例を示す概略図である。
【図７】本発明の第２の実施の形態に係る電子機器の動作例を示すフローチャートである。
【図８】本発明の第３の実施の形態に係る電子機器の動作例を示すフローチャートである。
【符号の説明】
【００４９】
１…電子機器、１Ａ…本体、１０…タイマー、１１…制御部、１１Ａ…スリープタイマー、１１Ｂ…スリープタイマー管理部、１１Ｃ…ワンセグ録画予約、１２…ワンセグ受信部、１２Ａ…アンテナ、１３…無線通信部、１４…記憶部、１４Ａ…例外テーブル、１５…表示部、１６…ＵＳＢポート、１７…操作部、１８…電源部、１８Ａ…充電池、１５０…スリープタイマーアイコン、１５１…スリープタイマー禁止アイコン、１５２…スリープタイマー予告表示、１８０…ＤＣジャック
【図１】
2009188529.tif 000003
【図２】
2009188529.tif 000004
【図３】
2009188529.tif 000005
【図４】
2009188529.tif 000006
【図５】
2009188529.tif 000007
【図６】
2009188529.tif 000008
【図７】
2009188529.tif 000009
【図８】
2009188529.tif 000010